【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
建物の壁面に設けられて前記壁面のファサードを形成するための有彩色ファサード装置であって、
支持構造体と、
前記支持構造体上に形成されて反射層と有彩色拡散層とを含む有彩色反射層と、
前記有彩色拡散層、及び／又は、前記反射層の中又は上に設けられ、赤外領域の光を吸収するように構成された吸収材と、を備え、
前記有彩色拡散層は、青色よりも赤色の鏡面反射率が大きくなり、赤色よりも青色の拡散反射率が大きくなるように構成され、反射層は、有彩色拡散層を透過した可視光を反射するように構成される、
有彩色ファサード装置。
【請求項２】
前記建物に取り付けられた状態における前記有彩色ファサード装置であって、
空気流を流すための煙突構造の一部がさらに形成され、
放射が赤外領域で吸収されるとき、それぞれの吸収熱が、前記煙突構造の一部の中で空気に伝達される、
請求項１に記載の有彩色ファサード装置。
【請求項３】
前記支持構造体から距離だけ離隔して有彩色拡散層を取り付けるためのマウントを備え、
前記マウントによる取り付けによって、有彩色ファサード装置内の煙突構造の一部を形成して有彩色ファサード装置を介して空気流を流す、
請求項１又は請求項２に記載の有彩色ファサード装置。
【請求項４】
前記反射層は、約４００ｎｍから約７００ｎｍの可視領域内において、９５％より大きく、又は、さらに９８％より大きい反射率といった７０％以上の反射率を有するように構成され、
前記有彩色拡散層は、約４００ｎｍから約７００ｎｍの範囲のような可視光領域において、最大３０％の光で拡散するように構成され、
前記吸収材は、約７００ｎｍ〜約２５００ｎｍの範囲のような近赤外領域に吸収ピークを有するように選択され、かつ、近赤外領域に対して可視領域内の吸収が低減されるように選択される、
請求項１から請求項３のいずれか１項に記載の有彩色ファサード装置。
【請求項５】
前記吸収材の濃度は、約７００ｎｍ〜約２５００ｎｍの範囲のような近赤外領域の光の７０％以上を吸収し、かつ、約４００ｎｍ〜約７００ｎｍの範囲のような可視領域内の光の２５％以上を透過させるように選択される、
請求項１から請求項４のいずれか１項に記載の有彩色ファサード装置。
【請求項６】
前記反射層は、アルミニウム金属ミラーフォイル又は金属コーティングの金属層を含み、
前記有彩色拡散層は、透明基材に埋め込まれた擬似レイリー散乱作用体として振る舞うナノ粒子群を含み、
前記吸収材は、有機共役又はドナーアクセプタ系又は金属錯体を含む有機化合物を含む、
請求項１から請求項５のいずれか１項に記載の有彩色ファサード装置。
【請求項７】
前記吸収材は、タングステン、ニッケル、及び、イリジウム系酸化物を少なくとも１つ含む無機金属系酸化物を含む、
請求項１から請求項６のいずれか１項に記載の有彩色ファサード装置。
【請求項８】
請求項１から請求項７のいずれか１項に記載の前記有彩色ファサード装置と、
前記有彩色ファサード装置が距離（Ｄ）だけ離隔して前記壁面に沿って垂直に延びるように有彩色ファサード装置１１を前記壁面に取り付けるマウントと、を備え、
前記マウントを取り付けることによって、前記壁面と前記有彩色ファサード装置との間に垂直に延びる煙突構造が形成される、
有彩色ファサード構造ユニット。
【請求項９】
建物の壁面に取り付けるための有彩色ファサード装置であって、
支持構造体と、
前記支持構造体上に形成される反射層と、
前記反射層側に設けられる裏面と入射光が照射される表面とを有する有彩色拡散層と、を備え、
前記有彩色拡散層は、基材に埋め込まれた複数のナノ粒子を含んで、青色よりも赤色でより大きい鏡面反射率を有し、赤色よりも青色でより大きい拡散反射率を有するように構成され、
前記有彩色拡散層、及び、前記反射層の少なくとも一方は、赤外領域の吸収に寄与する粒子（４７）をさらに含む、
有彩色ファサード装置。
【請求項１０】
前記支持構造体が、前記有彩色拡散層として構成される、
請求項１から請求項９のいずれか１項に記載の有彩色ファサード装置。
【請求項１１】
前記反射層は支持構造体に連続的に配置され、前記支持構造体の上に直接適用され、かつ、構造的に直接接続される、
請求項１から請求項１０のいずれか１項に記載の有彩色ファサード装置。
【請求項１２】
前記反射層は、連続的な金属層である、
請求項１から請求項１１のいずれか１項に記載の有彩色ファサード装置。
【請求項１３】
前記反射層は、前記彩色拡散層を通過した光に対して、７５％以上等の６５％以上、さらには９０％等の８５％以上の反射率となる厚さを有する、
請求項１から請求項１２のいずれか１項に記載の有彩色ファサード装置。
【請求項１４】
前記反射層は、前記支持構造体の表面部分によって形成される、
請求項１から請求項１３のいずれか１項に記載の有彩色ファサード装置。
【請求項１５】
前記有彩色ファサード装置は、反射面素群を形成する一連の区域を含む挟み込み構造として構成される、
請求項１から請求項１４のいずれか１項に記載の有彩色ファサード装置。
【請求項１６】
複数の非共通平面上の反射面素群が前記支持構造体（１５）上に形成される、
請求項１から請求項１５のいずれか１項に記載の有彩色ファサード装置。
【請求項１７】
前記有彩色拡散層は、前記反射層と接触する、
請求項１から請求項１６のいずれか１項に記載の有彩色ファサード装置。
【請求項１８】
基材の屈折率に対するナノ粒子の屈折率の差、ナノ粒子のサイズ分布、及び単位面積あたりのナノ粒子の数は、青色よりも赤色で拡散反射率が大きく、赤色よりも青色で大きい鏡面反射率を有するように選択され、
前記鏡面反射率と前記拡散反射率との差は、可視光領域内の４５０ｎｍ〜５００ｎｍの範囲を含む青色領域の平均値、及び６２０ｎｍ〜６７０ｎｍの赤色領域の範囲を含む赤色領域の平均値として与えられる、
請求項１から請求項１７のいずれか１項に記載の有彩色ファサード装置。
【請求項１９】
鏡面反射率及び拡散反射率の差に寄与するナノ粒子は擬似レイリー散乱作用体とされ、前記擬似レイリー散乱作用体及び前記基材は基本的に非吸収性である、
請求項１から請求項１８のいずれか１項に記載の有彩色ファサード装置。
【請求項２０】
ｎｐを前記ナノ粒子の屈折率、ｎｈを前記基材の屈折率とし、相対屈折率ｍ＝ｎｐ／ｎｈが、０．５≦ｍ≦２．７であって、特にｍが０．７≦ｍ≦２．１の範囲にあるとき、直径Ｄ≡ｄｎｈは、
D[nm] ≦132m+115   （0.7≦m<1のとき）
D[nm] ≦240        （1<m<1.35のとき）
D[nm] ≦-135m+507   （1.35≦m≦2.1のとき）
を満たす、
請求項１から請求項１９のいずれか１項に記載の有彩色ファサード装置。
【請求項２１】
［メートル］で与えられるＤに対して、
前記有彩色拡散層を通る厚さの伝搬方向に沿って、単位面積当たりのナノ粒子の数が、
【数１】
2018522284.tif 000001
で与えられ、
最大充填率が、ｆ≦１０−２などのｆ≦０．４である、
請求項１から請求項２０のいずれか１項に記載の有彩色ファサード装置。
【請求項２２】
前記有彩色拡散層は、さらに、
前記有彩色ファサード装置の外観に色を重ね合わせるための、紫外領域内、及び、可視領域内の少なくとも一方の特定のスペクトル範囲の吸収、に寄与する粒子、
を備える、
請求項１から請求項２１のいずれか１項に記載の有彩色ファサード装置。
【請求項２３】
前方散乱の増加に寄与する擬似レイリー散乱作用体よりも大きいサイズであることで鏡面反射率を、基本的にその色とは無関係に、減少させる粒子と、を備える、
請求項１から請求項２２のいずれか１項に記載の有彩色ファサード装置。
【請求項２４】
前記支持構造体が、複数の表面区域を形成する複数のモザイク状表面構造を含む連続粗粒表面として構成される、
請求項１から請求項２３のいずれか１項に記載の有彩色ファサード装置。